(57)【要約】【課題】  リアルタイムに番組を見ながらコマーシャルをスキップすることができる装置を提供する。【解決手段】  テレビジョン放送を受信する受信手段と、前記受信手段により受信されたテレビジョン放送番組の映像信号を記憶媒体に蓄積する蓄積手段と、前記記憶媒体より前記映像信号を読み出して映像モニタに出力する再生手段と、前記蓄積手段による前記テレビジョン放送番組の映像信号の蓄積中に前記再生手段により前記映像信号を再生するよう前記再生手段を制御する制御手段を備え、前記制御手段は、前記再生中におけるリプレイ指示に応じて所定期間戻って映像信号を再生すると共に、前記テレビジョン番組中の所定の部分を前記リプレイ指示に対応した期間だけスキップして再生するよう前記再生手段を制御する。【選択図】  図３
2005142822.tif 000002
【特許請求の範囲】
【請求項１】
テレビジョン放送を受信する受信手段と、
前記受信手段により受信されたテレビジョン放送番組の映像信号を記憶媒体に蓄積する蓄積手段と、
前記記憶媒体より前記映像信号を読み出して映像モニタに出力する再生手段と、
前記蓄積手段による前記テレビジョン放送番組の映像信号の蓄積中に前記再生手段により前記映像信号を再生するよう前記再生手段を制御する制御手段を備え、
前記制御手段は、前記再生中におけるリプレイ指示に応じて所定期間戻って映像信号を再生すると共に、前記テレビジョン番組中の所定の部分を前記リプレイ指示に対応した期間だけスキップして再生するよう前記再生手段を制御する受信装置。
【請求項２】
前記制御手段は、複数回の前記リプレイ指示により戻って再生した期間の合計期間だけ前記所定の部分をスキップするよう前記再生手段を制御することを特徴とする請求項１記載の受信装置。
【請求項３】
テレビジョン放送を受信する受信手段と、
前記受信手段により受信されたテレビジョン放送番組の映像信号を記憶媒体に蓄積する蓄積手段と、
前記記憶媒体より前記映像信号を読み出して映像モニタに出力する再生手段と、
前記蓄積手段による前記テレビジョン放送番組の映像信号の蓄積中に前記再生手段により前記映像信号を再生するよう前記再生手段を制御する制御手段を備え、
前記制御手段は、前記再生中におけるリプレイ指示に応じて所定期間戻って映像信号を再生すると共に、前記テレビジョン番組中の所定の部分を前記リプレイ指示に対応した期間だけ通常再生速度よりも速い所定の速度で再生するよう前記再生手段を制御する受信装置。
【請求項４】
前記所定の部分はコマーシャル部分であることを特徴とする請求項１から３記載の受信装置。
【発明の詳細な説明】
【技術分野】
【０００１】
本発明はテレビジョン放送を受信する受信装置に関する。
【背景技術】
【０００２】
近年、受信したテレビ放送番組をハードディスク（ＨＤＤ）に蓄積するレコーダが知られている。
【０００３】
この様なＨＤＤを使った装置が特許文献１に開示されているが、追いかけ再生機能に代表されるようなＶＴＲでは出来なかったさまざまな機能がある。
【０００４】
この追いかけ再生機能では、ユーザは、現在記録している番組の残り部分を記録しながら、その番組の先に記録された部分を見ることができる。
【０００５】
例えば、現在記録されていて、まだ半分しか記録が完了していないが番組を見始めると、ビデオ記録装置は、順に番組の記録を続け、ユーザか見ている番組部である３０分番組の開始部分を見たいユーザのために、後半１５分の番組の記録を続けながら、ユーザがその番組を開始部分から見ることができるようにする。ユーザ分と記録されている番組部分との間に、一定の時間差が生じるようにする。番組の記録が終了すると、ユーザは、番組全体を見終わるまで、番組を順に見続けることができる。また、ユーザは、番組の残り部分が記録されている間に、番組の既に記録された部分の早送りや巻き戻しを行うこともできる。また、ユーザは、既に記録されたビデオ放送を見ながら、同時に、別のビデオ放送を記録することもできる。このように記録動作と再生動作を同時に行うことができるものである。
【０００６】
また、特許文献２、３では、記録した番組を再生するときにコマーシャル部分をスキップする装置が開示されている。つまり、録画したものを再生時に、コマーシャルをスキップしながら視聴することが可能である。または録画する時にコマーシャル部分を録画カットすものである。
【０００７】
また、視聴中、実損ねた部分をもう一度視聴しなおすというリプレイ機能がある。
【特許文献１】特開平１１−１６４２５４号公報
【特許文献２】特開平１１−００８８３５号公報
【特許文献３】特開平１１−１８５３１７号公報
【発明の開示】
【発明が解決しようとする課題】
【０００８】
しかしながら、前記従来の装置では、以下の課題がある。
【０００９】
リアルタイムで視聴している時には、コマーシャルを検知してもスキップしたり早送りすることが出来ない。
また、放送波を視聴中、実損ねた部分をもう一度視聴しなおすというリプレイ機能があるが、この機能を使った後、リアルタイムの放送に戻すと、今度は戻した間の放送を見損なうということになってしまっていた。
【００１０】
特にスポーツ観戦では、決定的瞬間を詳細に見直したいという要望がありながら、リアルタイムで視聴しているということが、スポーツ観戦におけるユーザの重要な心的要素であった。
【００１１】
本発明はこの様な問題を解決し、リアルタイムに番組を見ながらコマーシャルをスキップすることができる装置を提供することを目的とする。
【課題を解決するための手段】
【００１２】
本発明によれば、テレビジョン放送を受信する受信手段と、前記受信手段により受信されたテレビジョン放送番組の映像信号を記憶媒体に蓄積する蓄積手段と、前記記憶媒体より前記映像信号を読み出して映像モニタに出力する再生手段と、前記蓄積手段による前記テレビジョン放送番組の映像信号の蓄積中に前記再生手段により前記映像信号を再生するよう前記再生手段を制御する制御手段を備え、前記制御手段は、前記再生中におけるリプレイ指示に応じて所定期間戻って映像信号を再生すると共に、前記テレビジョン番組中の所定の部分を前記リプレイ指示に対応した期間だけスキップして再生するよう前記再生手段を制御する。
【発明の効果】
【００１３】
放送を録画せずに見ている時にも、コマーシャルがスキップできる。リプレイ操作を繰り返しても、コマーシャルがあれば、リアルタイムに戻って視聴できるので、スポーツ観戦では、臨場感を阻害されない。
【発明を実施するための最良の形態】
【００１４】
以下、実施例の動作を概略する。
【００１５】
通常の視聴時、チューナからのトランスポートストリーム（ＴＳ）出力をＨＤＤに記憶しながら、並行して表示する。この時にリプレイ操作をユーザが行なうことにより、遅延再生モードに移行する。コマーシャル検出技術を用い、コマーシャルに来たことがわかると、記録装置からの読み出しをスキップする。このような、コマーシャルスキップをするかどうかは、ユーザが選択できる。リモコン操作により、コマーシャルスキップモードを選んだ時、遅延再生の視聴状態になっていれば、コマーシャルスキップする。
【００１６】
以下、図を示しながら詳細な説明を行なう。
【００１７】
図２は、本発明第１実施例の受信機周辺のシステム説明図である。
【００１８】
図中、２１はＢＳ放送用アンテナ、２２はセットトップボックスと呼ばれる受信機、２３は受信機用リモコン、２４は受信した映像を表示するディスプレイ、２５は受信機に接続するハードディスクドライブ（ＨＤＤ）、である。
【００１９】
受信機２２は、デジタルＢＳ放送ならびに、アナログ地上波、ならびに現在規格策定中であるデジタル地上波放送を受信できる受信機である。また、リモコン操作により、予約した番組をＨＤＤに記憶させることが出来、また再生させることも可能である。受信並びに再生した番組は、ディスプレイ２４にて表示し、ユーザが楽しむことが出来る。
【００２０】
リプレイ動作については、以下説明するように、リモコン操作により、ＨＤＤに記憶した番組部分を使用し、番組時間を一定時間戻って、再生しなおすことが可能である。
【００２１】
リプレイをしてもすぐに番組に追いつかず、後でコマーシャルスキップするような機能を働かせるには、ユーザからのリモコン指示により、たとえば「ＣＭスキップモード」というような名前のキーを押したり、メニューから選択することにより、動作を開始する。
【００２２】
また、ＣＭスキップモードの再生方法について、あらかじめメニューにて選択しておくことにより、スキップせずに早送り再生モードにてコマーシャルを視聴することが出来る。
【００２３】
以下、図を使って詳細に説明する。
【００２４】
図１は、本発明第１実施例の受信機のブロック図である。
【００２５】
図中、１はアンテナで受信した電波から所望の周波数のアナログ映像信号のみを取り出すチューナ、２は映像信号をデジタル化し圧縮するエンコーダ、３は受信した電波から所望の周波数の圧縮状態のデジタル映像信号を取り出すチューナ、４はデジタル映像その他を記録するハードディスクドライブ（以下ＨＤＤと略す）、５はＨＤＤ１４を制御し必要に応じて映像信号をＨＤＤから読み書きするコントローラ、６はＨＤＤから読み出したデジタル映像を一旦ためておくバッファ、７はデジタル映像の伸張を行なうデコーダー、８は表示画面に相当する描画領域を持つビデオＲＡＭ、９は表示信号をアナログ化するＤＡ変換器、１０は映像中からコマーシャルの始まりおよび終わり部分を検出する判定器、１１はブロック全体の動きを制御するＣＰＵ、１２は圧縮デジタル信号から映像と音声を分離するデマルチプレクサ、１３は音声の伸張をするデコーダー、１５は音声をアナログ化するＤＡ変換器である。
【００２６】
以上の構成にての動作を以下説明する。
【００２７】
アナログ放送番組を視聴する場合、チューナ１で所望の番組をチューニングし、アナログのＮＴＳＣ映像信号をエンコーダ２にてＡＤ変換するとともに、ＭＰＥＧ２への圧縮をおこないトランスポートストリーム（ＴＳ）出力を得る。
【００２８】
デジタル番組を視聴する場合は、チューナ１３で所望の番組をチューニングし、復調するとチューナからのトランスポートストリーム（ＴＳ）出力がえられる。これらのＴＳ信号をＨＤＤコントローラ５を介して、ＨＤＤ４に書き込みを行なう。同時に同番組をＨＤＤ４から読み出しを行ない、バッファ６へと転送する。この読み出し間隔は、書き込み間隔とは独立に制御される。
【００２９】
番組中では、ユーザが見損ねたり、面白いシーンなどでもう一度見たい時に、リモコンのリプレイボタンを押し、リプレイ動作を指示する。
【００３０】
リプレイ動作を指示された場合、現在のＴＳ信号ではなく、例えば１０秒前に記録したＴＳ信号をＨＤＤ４から読み出す。コマーシャル中ではとばして読み出す。
【００３１】
バッファ６は、ＨＤＤか４ら読み出すＴＳの速度とデコードする速度が微妙にずれてしまうので、それを調整するためにある。次にデマルチプレクサ１２では、ＴＳ信号からヘッダ情報、映像データ、音声データに分離する。デコーダー７では、映像を伸張し、デコーダー１３では、映像を伸張する。伸張した映像データはＶＲＡＭ８に展開し、ＣＰＵ１１が描画するオンスクリーンディスプレイ情報と合わせられる。ＶＲＡＭ８からは、表示器のフレーム周波数に合わせて読み出され、ＤＡ変換器９でアナログに変換後、表示機で表示する。伸張した音声データは、ＤＡ変換後アンプに送られ、スピーカなどから再生を続ける。
【００３２】
図３は、本発明第１実施例のタイムコードの関係を説明した図である。
【００３３】
図中、上側の線が、放送局から送られてくる番組をＨＤＤから読み出した番組およびそのタイムコードを示す。下側の線が、視聴している番組とそのタイムコードを示す。
【００３４】
例えば、視聴している番組の内容部分である３１が、１０分間続くとする。この場合タイムコード００：００：００から００：１０：００までである。それに応じて、本発明装置のユーザは、リアルタイムにて番組を視聴する。番組の途中で、見逃した部分があり、タイムコード００：０２：３０の時点にてリプレイ操作をする。例として２０秒前までリプレイさせる。この時タイムコード００：０２：１０の番組部分をＨＤＤから読み出し、再生を続ける。
【００３５】
同様に、タイムコード００：０４：１０と００：０５：５０の時点にてそれぞれ２０秒間のリプレイ操作をしたとする。
【００３６】
この場合２０秒間のリプレイを３回行なったので、図の４０にて視聴している番組部分は元の番組３１よりちょうど１分遅れて視聴していることになる（遅延再生状態）。
【００３７】
次に、タイムコード００：１０：００から００：１２：００まで、コマーシャル部分３２がある。このコマーシャル部分のうち、放送より遅れて視聴している時間である１分間をスキップする。タイムコードでいうと、００：１０：００から００：１１：００までは、視聴しないでとばす。
【００３８】
残りのコマーシャル部分４２から、リアルタイムにて視聴する。次の番組部分３３も同様に４３にて視聴を続ける。この視聴中にも、リプレイ操作を行なった場合、番組視聴部分４５は例えば２０秒遅れにて視聴し、番組３３に続くコマーシャル部分が無いので、２０秒遅れたまま番組の視聴を終える。
【００３９】
ここで、コマーシャル部分の検出方法について述べる。
【００４０】
コマーシャル部分の検出については公知の技術を用いることができ、例えば、番組とコマーシャル間のブラックフレームを検出することにより検出できる。
【００４１】
また、番組がステレオ放送以外のモノラル放送や２ヶ国語放送だった場合、コマーシャルはステレオ放送が多いので、音声モードが切り替わったことで検出できる。
【００４２】
また、デジタル放送においては、コマーシャルのイン（Ｉｎ）点とアウト（Ｏｕｔ  ）点とをそれぞれ示すキュー情報を、ＰＳＩ（Ｐｒｏｇｒａｍ  Ｓｐｅｃｉｆｉｃ  Ｉｎｆｏｒｍａｔｉｏｎ：プログラム仕様情報）から取り出すことにより、検出できる。
【００４３】
次に、本発明第２実施例として、コマーシャル部分を早送りで視聴する場合を示す。
【００４４】
図４は、本発明第２実施例のタイムコードの関係を説明した図である。
【００４５】
図中、上側の線は、第１実施例と同じく、放送局から送られてくる番組をＨＤＤから読み出した番組とそのタイムコードを示す。下側の線は、第２実施例の視聴している番組とそのタイムコードを示す。
【００４６】
視聴している番組の内容部分である３１が、１０分間続くとする。この場合タイムコード００：００：００から００：１０：００までである。それに応じて、本発明装置のユーザは、リアルタイムにて番組を視聴する。番組の途中で、見逃した部分があり、タイムコード００：０２：３０の時点にてリプレイ操作をする。例として２０秒前までリプレイさせる。この時タイムコード００：０２：１０の番組部分をＨＤＤ４から読み出して再生する。
【００４７】
同様に、タイムコード００：０４：１０と００：０５：５０の時点にてそれぞれ２０秒間のリプレイ操作をしたとする。この場合２０秒間のリプレイを３回行なったので、図の４０にて視聴している番組部分は元の番組３１よりちょうど１分遅れて視聴していることになる。
【００４８】
次に、タイムコード００：１０：００から００：１２：００まで、コマーシャル部分３２がある。このコマーシャル部分は、早送り視聴を行なう。例えば２倍速早見視聴を行なうと、２分間のコマーシャルを見終えるのに１分間を要し、タイムコード００：１２：００の時点で、リアルタイムの放送に追いつく。
【００４９】
もし、３倍速早見視聴の場合は、コマーシャルの途中で放送時点に追いついてしまう、この場合は追いついた時点から、通常のリアルタイム視聴を行なう。
【００５０】
次の番組部分３３も同様に４３にて通常のリアルタイム視聴を続ける。
【００５１】
この視聴中にも、リプレイ操作を行なった場合、番組視聴部分４５は例えば２０秒遅れにて視聴し、番組３３に続くコマーシャル部分が無いので、２０秒遅れたまま番組の視聴を終える。
【００５２】
早送りをするには、以下の方法がある。
【００５３】
ＴＳ信号中のＭＰＥＧ２データでは、フレームがＩ、Ｂ、Ｂ、Ｐ、Ｂ、Ｂ、Ｉ、Ｂ、Ｂ、Ｐ、Ｂ、Ｂ、Ｉ、Ｂ、Ｂ、Ｐ、Ｂ、Ｂというようにならんでおり、ＩフレームＰフレームＢフレームの順にデータ量が大きく、伸張が容易である。早送りの場合、Ｂフレームを削除すればＩフレームとＰフレームだけになるので３倍速になり、Ｐフレームも削除してＩフレームだけになれば、６倍速になる。２倍速の場合は、ＩフレームおよびＰフレームと、Ｂフレームの一部のみを伸張する。
【００５４】
本実施例の場合、早送りながら、コマーシャルをユーザに視聴してもらうので、番組スポンサーに対するメリットがある。また、見たいコマーシャルがあれば、そこで止めて、通常再生速度で見ることも可能である。
【００５５】
また、ＨＤＤについては、外部にＩＥＥＥ１３９４接続するような形態ではなく、受信機内部に実装するような形態でも、実施できる。この場合を第３実施例に示す。
【００５６】
図１０は、本発明第３実施例の受信機および周辺装置の詳細ブロック図である。
【００５７】
図中、１０１はＢＳ受信アンテナ、１０２はＢＳＣＳ協調チューナモジュール、１０３はスクランブル解除ＩＣ、１０４は、映像とデータを分離するデマックス、１０５から１０７は、１０２から１０４にそれぞれ対応する同じ機能のブロックモジュール、１０８は映像及び音声を伸張するデコーダー、１０９はＮＴＳＣアナログ信号をデジタル化するデコーダー、１１０は複数の画面を合成するＩＣ、１１１はディスプレイ用の信号に変換するドライバＩＣ、１１２は外部スピーカ、１１３は外部ディスプレイ、１１４はハードディスク用インタフェース、１１５はハードディスク、１１６は受信機全体を制御するマイクロプロセッサ、１１７はデータを一時記憶するメモリ、１１８はデータを表示するためのグラフィックコントローラ、１１９はカードインタフェース、１２０は外部から静止画を読み込むコンパクトフラッシュ（R）カード、１２１は無線インタフェースカード、１２２は無線を使用するリモコン、１２３は無線を使用して接続する携帯電話、１２４は電話回線と接続するためのモデム、１２５は外部との電話接続部、１２６はＩＥＥＥ１３９４インタフェースＩＣ、１２７は外部ビデオカメラ、１２８は外部Ｄ−ＶＨＳビデオ、１２９は外部ＤＶＤ−ＲＡＭ、１３０は外部接続のデジタル地上波受信機、である。
【００５８】
また、本発明は、構成要素動作が同じならば上記実施例の形態に限らない。たとえば、受信機をディスプレイ筐体内に内蔵した形態でも実施できる。
【図面の簡単な説明】
【００５９】
【図１】本発明第１実施例の受信機のブロック図である。
【図２】本発明第１実施例の受信機周辺のシステム説明図である。
【図３】本発明第１実施例のタイムコードの関係を説明した図である。
【図４】本発明第２実施例のタイムコードの関係を説明した図である。
【図５】本発明第３実施例の受信機および周辺装置の詳細ブロック図である。
【図１】
2005142822.tif 000003
【図２】
2005142822.tif 000004
【図３】
2005142822.tif 000005
【図４】
2005142822.tif 000006
【図５】
2005142822.tif 000007